(57)【要約】【課題】塗膜転写具の使用時にかかる転写ヘッドから塗膜転写用カートリッジへ伝播する応力歪みを軽減させることができる塗膜転写具を提供する。【解決手段】本考案の塗膜転写具は二分できるケース１ａと羽型突起５を転写ヘッド支持部７上両側面に有した塗膜転写用カートリッジ１２及びそのカバー１３より構成され、使用時、羽型突起５がケース１ａの穴８を貫通して遊嵌しているため転写ヘッド３より発生する応力が転写ヘッド支持部７を通じて直接に塗膜転写用カートリッジ全体へ伝播せず、ケース１ａへと応力分散が進行し、塗膜転写用カートリッジ全体にかかる応力歪みを軽減させることができる。【選択図】図２
0003108040.tif 000002
【実用新案登録請求の範囲】
【請求項１】
基材テープに塗膜を施した転写テープを繰出す繰り出し部と、前記転写テープ上の塗膜を被転写体に押圧して圧転写する転写ヘッドと、転写後の基材テープを巻き取る巻き取り部を有する自動巻き取り式であり、かつその塗膜転写用カートリッジの転写ヘッド経路部には左右に広がる羽型突起を持ち、前記塗膜転写用カートリッジを内包して保護し、使用者が把持するケースとが、前記羽型突起くわえ込み遊嵌し、結びつく形状で構成されることを特徴とする塗膜転写具。
【請求項２】
塗膜転写用カートリッジの転写ヘッド経路両脇に、ケース外表面へ到達する程度の長さを持つ羽型構造を有することを特徴とする請求項１記載の塗膜転写具。
【請求項３】
塗膜転写用カートリッジは、その保有する羽型構造でケースとは遊嵌しているため、ケースに強く結びついておらず、その塗膜転写用カートリッジをケースより容易に入れ替えることができることを特徴とする請求項１又は２記載の塗膜転写具。
【考案の詳細な説明】
【技術分野】
【０００１】
本考案は塗膜転写具に関し、特に基材テープに塗膜を備えた転写テープを繰り出す繰り出し部と、前記塗膜を被転写体に圧転写する転写ヘッドと、転写後の基材テープを巻き取る巻き取り部を有する自動巻き取り式の塗膜転写機能を備えた塗膜転写用カートリッジで、該塗膜転写用カートリッジの転写ヘッド支持部両脇には羽型の突起が形成されており、この羽型突起を係りとして、該塗膜転写用カートリッジと使用者が把持するケースとが結びつく塗膜転写具に関する。
【背景技術】
【０００２】
従来の塗膜転写具は、テープ繰り出し部としての繰り出しロール、転写部としての転写ヘッド、巻き取り部としての巻き取りロールを備え、自動巻き取り可能に構成されており、例えば、特開昭６１−０５７３７０号に開示されたものがある。転写部は、体幹部からの圧力を受けるとその先端に位置している転写テープの転写層を転写する。昨今の環境配慮指向型への対応として繰り出しロールよりすべてのテープを使用終了した場合、ケースのみを残し、一連の転写部構成すなわち塗膜転写用カートリッジを交換することで、ケースの再利用ができ、転写部のみの交換が可能なため廃棄物の減量が期待できる。
【０００３】
従来、この環境配慮型すなわち交換式（あるいはリフィル式）の塗膜転写具では、塗膜転写用カートリッジをケースから交換の際、該塗膜転写用カートリッジを構成する繰り出しロールと巻き取りロール、転写ヘッドへの使用者による接触は避け難く、その接触による繰り出しロールの変形や巻き取りロール、転写ヘッド等脱落など、正常に機能を果たすことのできる機能構成を破壊する可能性があり、結果として交換失敗する。このために特開２００１−７１６８９号に開示されているような塗膜転写用カートリッジに特異な骨格及びカバーとなるような構造が、非交換式の塗膜転写具に比べ新たに必要になる。
【０００４】
使用時、該塗膜転写具は、使用者が担持し、外からの衝撃や汚損を防ぐケースとその内側に該塗膜転写用カートリッジを覆って保護する塗膜転写用カートリッジカバーで構成され、塗膜転写用カートリッジには、塗膜転写テープを巻き貯めている繰り出しロールが位置する繰り出し部及び転写後の基材テープを巻き貯めていく巻き取りロールが位置する巻き取り部で構成されており、前記繰り出し部と巻き取り部は、このケース及び塗膜転写用カートリッジの２層構造の中に内在することになる。
【０００５】
交換式（あるいはリフィル式）塗膜転写具は、使用時に転写ヘッドを押圧して転写テープ上の塗膜を転写するが、この時転写ヘッドは被転写体表面より押圧に対する応力を受ける。この応力は、まず転写ヘッドから、転写ヘッドと結合している塗膜転写用カートリッジへと伝播する。塗膜転写用カートリッジにかかる応力は次第にケースへと伝播していく過程となる。
【特許文献１】実公昭４４−００１７１９号
【特許文献２】特開２０００−２４７０９５号
【特許文献３】特開２００２−１２７６８１号
【特許文献４】特開２００３−３２６８９２号
【考案の開示】
【考案が解決しようとする課題】
【０００６】
転写ヘッドで生じる応力は、前記過程を通じて伝播していくが、各構成がプラスチック例えばポリスチレンやポリプロピレンなどの場合、この時かかる応力により伝播するに耐えず応力歪みとして各所変形することがある。通常、外衝撃から保護するため塗膜転写用カートリッジよりケースの強度を高くする設定であるから、この変形は、まず転写ヘッドを含めた塗膜転写用カートリッジの変形としてケースより優先して発生する。該塗膜転写用カートリッジの変形が進行すると、前記塗膜転写用カートリッジ内壁やボス柱及びカバーなどが繰り出しロールや巻き取りロール等の回転体へ接触することがあり、自動巻き取りに支障をきたし、正常な転写が行えなくなる。また該塗膜転写用カートリッジ外壁の変形によりケース内壁との接触が密に大きくなり、しっかりと嵌合してしまい、交換が不可能になることもある。
【０００７】
本考案は、交換式塗膜転写具に見られる前記課題を解決するためになされたものでありかつ、簡易に塗膜転写用カートリッジを交換できる塗膜転写具を提供することを目的としている。
【課題を解決するための手段】
【０００８】
上記課題の解決のため、本考案の塗膜転写具は基材テープに塗膜を備えた転写テープを繰り出す繰り出し部と、前記塗膜を被転写体に押圧して圧転写する転写ヘッドと、転写後の基材テープを巻き取る巻き取り部を有する自動巻き取り式の塗膜転写用カートリッジとその構造を保護し使用者が担持するケースで構成される交換式（あるいはリフィル式）塗膜転写具に関し、該塗膜転写用カートリッジの転写ヘッド経路部両側面には羽型突起を有しており使用者が担持するケースに設けられた穴と該塗膜転写用カートリッジの羽型突起が遊嵌するように構成されている。
【０００９】
塗膜転写用カートリッジは、後端部にて鉤状構造で螺状突起付き回動栓と遊嵌して連結して、中空体へ挿入可能であり、該中空体内部の案内溝により案内されて、収納される。
【００１０】
前記塗膜転写用カートリッジの羽型突起は、転写ヘッド経路部と平行しており、かつ厚みは転写ヘッド経路部と同等もしくはそれ以下であることが望ましく、長さも転写ヘッド経路部の長さ以下であることが望ましい。また、ケースに設けられた穴への高さについては、ケースの外表面の位置に到達する高さが望ましいが、それ以上であってもかまわない。
【００１１】
前記羽型突起すなわち転写ヘッド経路部が、塗膜転写用カートリッジの中心線より転写面側下へ３°傾いているのが望ましいが、限定する必要はなく０°であってもかまわない。
【００１２】
塗膜転写用カートリッジは、二分割できるケースに格納されている。ケースのロック構造を利用し、解除することでケースは二分される。ケース内に構成される前記塗膜転写用カートリッジがケースと嵌合していないので容易に取り外すことができる。また、同義に格納も容易である。
【００１３】
また、塗膜転写用カートリッジに搭載される基材テープに塗膜を備えた転写テープは、修正塗膜、蛍光塗膜、接着用粘着塗膜、修飾塗膜、暗記能率増進用塗膜といった塗膜のうち１種類以上含む。
【考案の効果】
【００１４】
本考案では、交換式（あるいはリフィル式）塗膜転写具で、転写ヘッドから転写時に生じる応力が直に塗膜転写用カートリッジを構成している繰り出し部及び巻き取り部、塗膜転写用カートリッジ側壁に加わることなく、該塗膜転写用カートリッジに設けられた羽型突起を通じていち早く、該塗膜転写用カートリッジを覆っているケース外面へ応力分散し、該塗膜転写用カートリッジの変形を軽減するといった効果がある。
【考案を実施するための最良の形態】
【００１５】
以下に、この考案の実施の形態を図面に基づいて説明する。
【実施例１】
【００１６】
図１は本考案の塗膜転写具の外観図である。図２の構成図に示したように、本考案の塗膜転写具は、転写ヘッド３と転写ヘッド経路部７、転写ヘッド支持柱６、巻き取り部１１、繰り出し部１４、塗膜転写用カートリッジカバー１３そして、羽型突起５で構成される塗膜転写用カートリッジ１２と使用者が担持し、外衝撃から保護する上ケース１と下ケース２とで構成されている。また繰り出し部１４には、片面に塗膜を備えた転写テープが巻き回してあり、転写ヘッド３を経して、該転写テープは、これを巻き取る機能をもつ巻き取り部１１に回収される。このとき、巻き出された繰り出し部１４はその回転運動を歯車構造により、巻き取り部１１へ続けて回転運動を伝播させる。この回転力に従い、繰り出し部１４に巻き回してある転写テープは、巻き取り部１０に自動巻き取りされるものである。
【００１７】
前記図２の塗膜転写用カートリッジ１２及び塗膜転写用カートリッジカバー１３及びケース１ａは、該塗膜転写用カートリッジ１２内に収納される転写テープが視認できるような透明、或は半透明な樹脂で形成されるのが望ましいが、不透明な樹脂や一部紙等の材質で形成してもよく、その材質を特に限定する必要はない。
【００１８】
前記塗膜転写用カートリッジ１２内の基材テープに塗膜を備えた転写テープは、塗膜として修正塗膜、蛍光塗膜、接着用粘着塗膜、装飾用塗膜、或は暗記能率増進用塗膜のうちいずれかに選択することができる。
【００１９】
また、前記塗膜転写用カートリッジ１２内の塗膜を備えた転写テープの幅は、転写ヘッド３の構造によって一義的に決定されるものである。
【図面の簡単な説明】
【００２０】
【図１】実施例１の塗膜転写具の外観正面図
【図２】図１に示す実施例１のＡ−Ａ断面図
【符号の説明】
【００２１】
１．下ケース
１ａ．ケース
２．下ケース
３．転写ヘッド
４．塗膜転写用カートリッジカバー羽型突起用穴
５．羽型突起
６．転写ヘッド支持柱
７．転写ヘッド支持部
８．ケース支持穴
９．ケースロック結合穴
１０．塗膜転写用カートリッジロック結合穴
１１．巻き取り部
１２．塗膜転写用カートリッジ
１３．塗膜転写用カートリッジカバー
１４．繰り出し部
【図１】
0003108040.tif 000003
【図２】
0003108040.tif 000004